(57)【要約】【課題】全長が短くなり、その結果小回りがきき、狭い場所での清掃を行なうことが可能となる構成の清掃車両の清掃装置を提供する。【解決手段】清掃装置３のフレーム３６を、両側板部３６ａと、天板部３６ｂと、背板部３６ｃとにより、下面および前面が開口された構成にする。フレーム３６内に回転ブラシ４０を収容する。回転ブラシ４０は、その下側が前方に移動するように回転させることにより対象物を前方に跳ばす。フレーム３６の前部に、回転ブラシ４０により跳ばされた対象物の掃出し方向を案内するガイド５３を設ける。【選択図】図５
2014169525.tif 000002
【特許請求の範囲】
【請求項１】
自走式車両のフロントに清掃装置を取付けて構成される清掃車両の清掃装置において、
左右の側板部、天板部および背板部を有するフレーム内に清掃対象物を前方に掃出す回転ブラシを取付け、前記フレームの前部に、前記回転ブラシにより前記フレーム外に跳ばされた清掃対象物の掃出し方向を案内するガイドを設けたことを特徴とする清掃車両の清掃装置。
【請求項２】
請求項１に記載の清掃車両の清掃装置において、
前記フレームの両側部と背部にキャスタを取付けたことを特徴とする清掃車両の清掃装置。
【請求項３】
請求項１または２に記載の清掃車両の清掃装置において、
前記ガイドとして、掃出し方向が異なる複数種類のものを備えると共に、複数種類のものから選択されたガイドを前記フレームに着脱可能に取付ける構成にしたことを特徴とする清掃車両の清掃装置。
【発明の詳細な説明】
【技術分野】
【０００１】
本発明は、床面や地面の清掃を行なう清掃車両の清掃装置に関する。
【背景技術】
【０００２】
例えば工場やスクラップ処理場等における床面や地面の清掃は、箒で行なうより、特許文献１に記載のような清掃車両を用いる方が労力の軽減および能率向上の面で有利である。この特許文献１に記載の従来の清掃装置は、回転ブラシを収容したブラシフレームの前部に、回転ブラシにより前方に跳ばされた対象物を収容するダストボックスを取付けたものである。
【先行技術文献】
【特許文献】
【０００３】
【特許文献１】特開平１１−２１８３８号公報
【発明の概要】
【発明が解決しようとする課題】
【０００４】
しかしながら、従来の清掃装置は、回転ブラシを収容したブラシフレームの前部にダストボックスを取付けた構成を有するため、清掃装置全体の長さが長くなる。このため、小回りが難しくなり、狭い場所での清掃が困難になるという問題点があった。
【０００５】
本発明は、上記問題点に鑑み、全長が短くなり、その結果小回りがきき、狭い場所での清掃を行なうことが可能となる構成の清掃車両の清掃装置を提供することを目的とする。
【課題を解決するための手段】
【０００６】
請求項１の清掃車両の清掃装置は、自走式車両のフロントに清掃装置を取付けて構成される清掃車両の清掃装置において、
左右の側板部、天板部および背板部を有するフレーム内に清掃対象物を前方に掃出す回転ブラシを取付け、前記フレームの前部に、前記回転ブラシにより前記フレーム外に跳ばされた清掃対象物の掃出し方向を案内するガイドを設けたことを特徴とする。
【０００７】
請求項２の清掃車両の清掃装置は、請求項１に記載の清掃車両の清掃装置において、
前記フレームの両側部と背部にキャスタを取付けたことを特徴とする。
【０００８】
請求項３の清掃車両の清掃装置は、請求項１または２に記載の清掃車両の清掃装置において、
前記ガイドとして、掃出し方向が異なる複数種類のものを備えると共に、複数種類のものから選択されたガイドを前記フレームに着脱可能に取付ける構成にしたことを特徴とする。
【発明の効果】
【０００９】
請求項１の発明の清掃装置は、回転ブラシにより清掃面上の対象物を、フレームの前方から直接外部に跳ばすようにしたものである。このため、従来の清掃装置に備えられていたダストボックスが不要となる。ここで、本発明によりフレームの前部に設けるガイドは、ダストボックスに比較して前後方向の長さが短いものですむため、清掃装置の全長が短くなる。その結果小回りがきき、従来より狭い場所での清掃を行なうことが可能となる。また、掃出し方向をガイドによって案内することにより、清掃場所にとって好適な形態で対象物を集積させることができる。
【００１０】
請求項２の発明によれば、フレームの両側部と背部にキャスタを取付けたので、キャスタが清掃車両の前後長を長くすることがない。このため、前後の長さが短い清掃車両を容易に実現することができる。
【００１１】
請求項３の発明によれば、掃出し方向が異なる複数種類のガイドから選択されたものをフレームに取付けるようにしたので、清掃現場に迅速に対応して、清掃現場に好適なガイドを用いて対象物を集積させることが可能となる。
【図面の簡単な説明】
【００１２】
【図１】本発明の清掃装置の一実施の形態を清掃車両として構成した状態で示す側面図である。
【図２】図１の平面図である。
【図３】図１の清掃車両のうちの車両部分を示す側面図である。
【図４】図３の車両部分の平面図である。
【図５】この実施の形態の清掃装置を後方から見た斜視図である。
【図６】この実施の形態の清掃装置の側面図である。
【図７】（Ａ）はこの実施の形態の清掃装置を車両部分のフロントの一部と共に示す斜視図、（Ｂ）はその対象物の掃出し方向を示す側面図である。
【図８】（Ａ）は本発明の清掃装置の他の実施の形態を示す斜視図、（Ｂ）はその対象物の掃出し方向を示す側面図である。
【図９】（Ａ）は本発明の清掃装置の他の実施の形態をさらに示す斜視図、（Ｂ）はその対象物の掃出し方向を示す平面図である。
【発明を実施するための形態】
【００１３】
図１は本発明の清掃装置の一実施の形態を清掃車両として構成した状態で示す側面図、図２はその平面図である。この清掃車両は、移動のための自走式車両１と、この自走式車両１のフロント２に取付けられた清掃装置３とからなる。自走式車両１は、後輪４を有する後部車体１ａと、フロント２および前輪５を有する前部車体１ｂとを備える。そして前部車体１ｂは、後部車体１ａに対し、結合軸６を中心として油圧シリンダ７により左右に揺動可能に結合される。後部車体１ａには、エンジンにより駆動される油圧ポンプを有するパワーユニット８と、運転席９と、走行およびフロント２の操作を行なう操作装置１０を有する。
【００１４】
また、図３、図４はそれぞれ自走式車両１を示す側面図、平面図であり、これらの図において、１１はフロント取付けフレーム、１２は清掃装置３を支持し、清掃装置３を地面や床面等の清掃面から浮上あるいは着地させるリフトアームである。このリフトアーム１２は左右にそれぞれ１本ずつ、フロント取付けフレーム１１にピン１３を中心として油圧シリンダ１４によって上下動可能に取付けられる。これらの左右のリフトアーム１２，１２間はその長さ方向の中間部においてロッド１６により結合される。１７は清掃装置３の傾きを制御すると共に、清掃装置３の着脱時に用いるチルトリンクである。このチルトリンク１７は、ロッド１６に設けたブラケット１８にピン１９を中心として油圧シリンダ２０により前後方向に回動可能に取付けられる。
【００１５】
２２はクイックカプラフレームであり、このクイックカプラフレーム２２はその下端を、各リフトアーム１２の先端にそれぞれピン２３により回動可能に連結して取付けられる。この左右のクイックカプラフレーム２２の上端間にフック受軸２５を設ける。このフック受軸２５は、清掃装置３の後部に設けたフック２６(図１、図２、図５〜図７参照)を係止させるものである。各クイックカプラフレーム２２の中間部にはピン孔２７を設ける。このピン孔２７は、清掃装置３のフック２６の下部に設けたピン孔２８（図５、図６参照）に合わせてピン２９（図１参照）により連結するものである。
【００１６】
図３、図４において、３０は左右のクイックカプラフレーム２２，２２間を結合する結合板、３１はこの結合板３０の左右方向の中間部に固着したブラケットである。３２はチルトリンク１７の下端とブラケット３１との間を連結するリンクであり、このリンク３２はそれぞれチルトリンク１７の下端とブラケット３１にピン３３，３４により連結して取付けられる。
【００１７】
図５、図６、図７（Ａ）において、３６は清掃装置３のフレームであり、このフレーム３６は、左右の側板部３６ａ，３６ａと、天板部３６ｂと、背板部３６ｃとを有するもので、下面および前面が開口された構造をなす。前記フック２６は天板部３６ｂないし背板部３６ｃにわたって固着して設けられる。
【００１８】
図６において、４０はフレーム３６内に収容して取付けられる回転ブラシであり、この回転ブラシ４０は、その回転軸４０ａに円筒体４０ｂを同心に設け、円筒体４０ｂの周囲に清掃対象物を飛ばすための多数の線条体４０ｃを放射状に取付けてなるものである。
【００１９】
この回転ブラシ４０の回転軸４０ａの両端は左右の側板部３６ａ，３６ａから突出させ、一端側は駆動用油圧モータ４１により動力伝達装置４２を介して回転される回転体(図示せず)が取付けられる。なお、動力伝達装置４２は、一例として駆動プーリ、従動プーリおよびこれらのプーリ間に掛け回したベルトによって構成することができるが、他の公知の動力伝達装置を用いてもよい。
【００２０】
回転軸４０ａの他端側は軸受４３に嵌合される。油圧モータ４１および動力伝達装置４２は、図７（Ａ）に示すハンドル４４を有する上下位置調整機構４５により上下位置調整可能に取付けられる。軸受４３もハンドル４６を有する上下位置調整機構４７により上下位置調整可能に取付けられる。
【００２１】
なお、上下位置調整機構４５，４７としては、フレーム３６の側板部３６ａに固定された雌ねじ筒に雄ねじロッドを螺合し、雄ねじロッドに動力伝達装置４２のフレームや軸受４３をガイドに沿って上下動可能に取付け、雄ねじロッドの頂部にハンドル４４，４６を取付けた構造のものを用いることができる。
【００２２】
これらの上下位置調整機構４５，４７により、回転ブラシ４０のフレーム３６に対する上下位置が調整され、回転ブラシ４０の接地状態が調整される。この回転ブラシ４０は、下面が前方に移動するように回転されることにより、清掃面である工場やスクラップ処理場の床面や地面等にある清掃の対象物を前方に掃出すものである。なお、清掃の対象物としては、一例として金属小片があるが、本発明においては、清掃の対象物はこれに限定されず、清掃が可能であれば、すべて清掃の対象となる。
【００２３】
５０はフレーム３６の両側部に取付けられたキャスタ、５１はフレーム３６の背部に取付けられたキャスタであり、これらは清掃装置３の移動を円滑化するものである。
【００２４】
５３はフレーム３６の前面の開口を覆うようにボルト５４により着脱可能に取付けられたガイドであり、このガイド５３は、回転ブラシ４０が清掃面の対象物を前方のフレーム外に跳ばして掃出す際の掃出し方向を案内するものである。この実施の形態のガイド５３は、左右の側板部５３ａと上板部５３ｂとからなるものであり、上板部５３ｂをその前側が上となるように傾斜させたものである。これにより、図７（Ｂ）に示すように、回転ブラシ４０により跳ばされた対象物の一部は斜め上向きに案内されて集積されるものである。
【００２５】
この自走式車両１に清掃装置３を取付ける際には、油圧シリンダ２０を収縮させてクイックカプラフレーム２２を前傾姿勢にすると共に、油圧シリンダ１４を収縮させてリフトアーム１２を下げておく。そして、清掃装置３側に自走式車両１を前進させてフック受軸２５をフック２６の下側に位置させ、油圧シリンダ１４を若干伸長させてリフトアーム１２を少し上げてフック２６にフック受軸２５に係止させる。その後、油圧シリンダ２０を収縮させることにより、クイックカプラフレーム２２の下部を清掃装置３側に押し出す。これにより、フック２６の下部に設けたピン孔２８をクイックカプラフレーム２２のピン孔２７に合わせることができ、ピン孔２７，２８にピン２９を挿着することにより、フロント２に清掃装置３を取付ける。
【００２６】
清掃作業の際には、回転ブラシ４０を回転させ、運転席９上のオペレータが操作装置１０を操作して舵取りしながら、清掃装置３を前進させることで、清掃面上に散乱する清掃対象物を前方に跳ばして清掃を行う。回転ブラシ４０によって前方に跳ばされる対象物は、清掃車両の進行に伴いその方向に掃きだされていくため、清掃車両の移動によって所定の場所に集積させることができる。清掃を中断して清掃車両を移動させる際には、油圧シリンダ１４を伸長させて清掃装置３を清掃面から浮かせて走行する。
【００２７】
このように、この実施の形態の清掃装置３は、回転ブラシ４０の回転により清掃面上の清掃対象物をフレーム３６の前方から直接外部に跳ばすようにしたものである。このため、従来の清掃装置に備えられていたダストボックスが不要となる。ここでフレーム３６の前部に設けるガイド５３は、ダストボックスに比較して前後方向の長さが短いものですむため、清掃装置３の全長が短くなる。その結果小回りがきき、従来より狭い場所での清掃を行なうことが可能となる。
【００２８】
また、掃出し方向をガイド５３によって案内することにより、清掃対象物を清掃場所の状況に適合した好適な形態で集積させることができる。この実施の形態においては、図７（Ｂ）の側面図において矢印５５，５６で示すように対象物が掃出され、対象物を山状に集積させることとなる。
【００２９】
また、この実施の形態のフレーム３６は、フレーム３６の側部と背部にキャスタ５０，５１を取付けたので、キャスタ５０，５１が清掃車両の前後長を長くすることがない。このため、前後の長さが短い清掃車両を容易に実現することができる。
【００３０】
図８（Ａ）は本発明による清掃装置の他の実施の形態を示す斜視図である。この実施の形態の清掃装置３Ａのガイド５７は、側板部５７ａ，５７ａの上部に設ける上板部５７ｂを前側が下向きとなるように形成したものである。図８（Ｂ）はこのガイド５７を用いた場合の対象物の掃出し方向を矢印５８で示す側面図であり、この実施の形態においては、対象物の飛散を防止しながら対象物を集積させることができる。
【００３１】
図９（Ａ）は本発明による清掃装置の他の実施の形態を示す斜視図である。この実施の形態の清掃装置３Ｂのガイド５９は、前板部５９ａと上板部５９ｂとからなり、前板部５９ａはフレーム３６の一方の側板部３６ａに取付けられ、他方の側板部３６ａとの間に開口部５９ｃが形成されるように形成したものである。図９（Ｂ）はこのガイド５９を用いた場合の対象物の掃出し方向を矢印６０で示す平面図であり、この実施の形態においては、対象物を清掃車両の片側に寄せて集積させることとなる。
【００３２】
本発明を実施する場合、ガイドとして、図７、図８、図９にそれぞれ示した複数種類のガイド５３，５７，５９あるいはさらに他の構造のものを備えておき、清掃の現場に応じて選択された種類のガイドをフレーム３６に取付けるようにすれば、清掃現場に即応して、適合した向きや集積形態で対象物を集積させることが可能となる。
【００３３】
本発明を実施する場合、上記実施の形態に限定されることなく、本発明の要旨を逸脱しない範囲において、種々の変更、付加が可能である。
【符号の説明】
【００３４】
１：自走式車両、２：フロント、３，３Ａ，３Ｂ：清掃装置、３６：フレーム、３６ａ：側板部、３６ｂ：天板部、３６ｃ：背板部、４０：回転ブラシ、５０，５１：キャスタ、５３，５７，５９：ガイド
【図１】
2014169525.tif 000003
【図２】
2014169525.tif 000004
【図３】
2014169525.tif 000005
【図４】
2014169525.tif 000006
【図５】
2014169525.tif 000007
【図６】
2014169525.tif 000008
【図７】
2014169525.tif 000009
【図８】
2014169525.tif 000010
【図９】
2014169525.tif 000011